(57)【要約】【課題】２×４住宅の建設施工現場で、外壁のタイル貼り施工を簡単に短期間で行なうことができるタイル貼り外壁の施工方法を提供する。【解決手段】予め工場で規格化されたパネル状のタイルパネル部材１を製造する。タイルパネル部材１には、基枠に固定した面材の両側縁部の外側面に、ベースサイディング及びタイルを貼着しない未貼着スペース９を設けておく。２×４住宅の建設現場では、タイルパネル部材１を組み付ける場合、上部に設けた突出結合部１３ａを、隣接するタイルパネル部材の上部に設けた突出結合部と同一寸法の突出結合部用凹部１３ｂに嵌合して結合する。施工現場では、タイルパネル部材１の接合線に沿った未貼着スペース９についてのみ、現場胴縁５５を結合し、現場胴縁５５の外側に現場ベースサイディング５６を固定し、さらに現場ベースサイディング５６の外側に現場タイル５８を貼着する。【選択図】図１
2011246996.tif 000002
【特許請求の範囲】
【請求項１】
タイルパネル部材が、
１対の縦軸材と、
少なくとも１本の中間縦軸材と、
該１対の縦軸材及び中間縦軸材の両端に結合された上下１対の横軸材と、
該横軸材と同じ長さを有し、一方の側に突出結合部を突き出し、他方の側に突出結合部用凹部を形成するように、横軸材上に固定された結合用横軸材と、
該縦軸材、中間縦軸材、横軸材及び結合用横軸材により囲まれた部分を覆って固定された面材と、
該面材の外側面に所定の間隔をあけて該縦軸材と平行に固定された胴縁と、
該胴縁の外側面に固定されたベースサイディングと、
該ベースサイディングの外側面に接着剤で貼着された複数のタイルと、
を備え、該面材の両側縁部の外側面を、該ベースサイディング及び該タイルを貼着しない、現場施工用の未貼着スペースとして、予め工場で製造され、
規格化されたパネル状の該タイルパネル部材を使用して、施工する２×４住宅のタイル貼り外壁の施工方法であって、
上記タイルパネル部材は、住宅の各階の床組部材上に建て込まれ、
該タイルパネル部材の上部の突出結合部は、隣接するタイルパネル部材の上部に設けた該突出結合部と同一寸法の突出結合部用凹部に嵌合して結合され、
相互に隣接して並設固定されたタイルパネル部材の接合線に沿った未貼着スペースのみについて、施工現場で、現場胴縁を結合し、該現場胴縁の外側に現場ベースサイディングを固定し、さらに該現場ベースサイディングの外側に現場タイルを貼着することを特徴とする２×４住宅のタイル貼り外壁の施工方法。
【請求項２】
タイル貼り外壁の２×４住宅に使用される規格化されたタイルパネル部材であって、
１対の縦軸材と、
少なくとも１本の中間縦軸材と、
該１対の縦軸材及び中間縦軸材の両端に結合された上下１対の横軸材と、
該横軸材と同じ長さを有し、一方の側に突出結合部を突き出し、他方の側に突出結合部用凹部を形成するように、横軸材上に固定された結合用横軸材と、
該縦軸材、中間縦軸材、横軸材及び結合用横軸材により囲まれた部分を覆って固定された面材と、
該面材の外側面に所定の間隔をあけて該縦軸材と平行に固定された胴縁と、
該胴縁の外側面に固定されたベースサイディングと、
該ベースサイディングの外側面に貼着された複数のタイルと、
を備え、
該面材の両側縁部の外側面は、ベースサイディング及びタイルを貼着しない、現場施工用の未貼着スペースとして、規格化されパネル状に形成されていることを特徴とする２×４住宅用タイルパネル部材。
【請求項３】
２×４住宅の建設施工現場にて、隣接するタイルパネル部材の接合部の未貼着スペースに、先ず、面材の外側面に現場胴縁を縦に固定し、該現場胴縁を覆って現場ベースサイディングを固定し、該現場ベースサイディングの外側面に、該タイルパネル部材の外側面に貼着されたタイルの割付と同じ割付で現場タイルを割り付け、接着剤により貼着することを特徴とする請求項１記載の２×４住宅のタイル貼り外壁の施工方法。
【請求項４】
前記タイルが馬踏み貼りで割り付けられ、前記未貼着スペースにおける該タイルの両側端部に凹凸形状を付けて該タイルが貼着されたことを特徴とする請求項３記載の２×４住宅のタイル貼り外壁の施工方法。
【発明の詳細な説明】
【技術分野】
【０００１】
本発明は、２×４住宅に使用されるタイル貼り外壁の施工方法及びその施工方法で使用される２×４住宅用タイルパネル部材に関する。
【背景技術】
【０００２】
２×４材の軸材と面材を使用して建設する２×４住宅は、製造コストの有利さや施工の容易さなどから、多くの木造住宅で採用され、建設されている。
【０００３】
近年、コンクリート住宅のみではなく、木造住宅においても、耐久性や見栄えの向上などから、外壁をタイル貼りとする木造住宅が増加する傾向にあり、２×４住宅においても、外壁にタイル貼りを採用する場合がある。
【０００４】
木造住宅などの外壁にタイル貼り施工を行なう場合、下記特許文献１に記載されるように、通常、住宅の躯体に面材を固定し、その面材に防水シートを貼ると共に胴縁を固定し、胴縁の外側に下地材を固定する。さらに、下地材の外側にビニールシート及び網部材を貼り付けると共に、その外側に格子状の支持部材を取り付け、その支持部材の外側に接着剤を塗布し、台紙上に連結されたユニットタイルを、そこに貼り付けるように施工している。
【先行技術文献】
【特許文献】
【０００５】
【特許文献１】特開２００６−１１８２８５号公報
【発明の概要】
【発明が解決しようとする課題】
【０００６】
しかし、この種のタイル貼り施工を、２×４住宅の建設現場で行なうことは、上述のように、面材の固定、防水シートの貼り付け、胴縁の取り付け、下地材の取り付け、ビニールシート及び網部材の貼り付け、格子状の支持部材の取り付けなど、非常に多くの工程と施工時間を必要とし、しかも、タイル貼り施工の現場作業には、熟練した技術を有する多くの熟練工を必要とする。
【０００７】
２×４住宅は、熟練した大工仕事をそれ程必要とせず、比較的短期間で安価に、必要な強度など各種要求に応えた性能を備えた住宅を建設することができるところ、そのような木造住宅であっても、外壁をタイル貼りとする場合には、上記のように、２×４住宅の建設現場において、多く工程、施工時間、熟練した施工技術者を必要とするため、施工の改善が要望されていた。
【０００８】
本発明は、上述の課題を解決するものであり、２×４住宅の建設施工現場で、外壁のタイル貼り施工を簡単に短期間で行なうことができるタイル貼り外壁の施工方法及び２×４住宅用タイルパネル部材を提供することを目的とする。
【課題を解決するための手段】
【０００９】
本発明に係る請求項１の２×４住宅のタイル貼り外壁の施工方法は、
タイルパネル部材が、
１対の縦軸材と、
少なくとも１本の中間縦軸材と、
該１対の縦軸材及び中間縦軸材の両端に結合された上下１対の横軸材と、
該横軸材と同じ長さを有し、一方の側に突出結合部を突き出し、他方の側に突出結合部用凹部を形成するように、横軸材上に固定された結合用横軸材と、
該縦軸材、中間縦軸材、横軸材及び結合用横軸材により囲まれた部分を覆って固定された面材と、
該面材の外側面に所定の間隔をあけて該縦軸材と平行に固定された胴縁と、
該胴縁の外側面に固定されたベースサイディングと、
該ベースサイディングの外側面に接着剤で貼着された複数のタイルと、
を備え、該面材の両側縁部の外側面を、該ベースサイディング及び該タイルを貼着しない、現場施工用の未貼着スペースとして、予め工場で製造され、
規格化されたパネル状の該タイルパネル部材を使用して、施工する２×４住宅のタイル貼り外壁の施工方法であって、
上記タイルパネル部材は、住宅の各階の床組部材上に建て込まれ、
該タイルパネル部材の上部の突出結合部は、隣接するタイルパネル部材の上部に設けた該突出結合部と同一寸法の突出結合部用凹部に嵌合して結合され、
相互に隣接して並設固定されたタイルパネル部材の接合線に沿った未貼着スペースのみについて、施工現場で、現場胴縁を結合し、該現場胴縁の外側に現場ベースサイディングを固定し、さらに該現場ベースサイディングの外側に現場タイルを貼着することを特徴とする。
【００１０】
また、本発明に係る請求項２の２×４住宅用タイルパネル部材は、
タイル貼り外壁の２×４住宅に使用される規格化されたタイルパネル部材であって、
１対の縦軸材と、
少なくとも１本の中間縦軸材と、
該１対の縦軸材及び中間縦軸材の両端に結合された上下１対の横軸材と、
該横軸材と同じ長さを有し、一方の側に突出結合部を突き出し、他方の側に突出結合部用凹部を形成するように、横軸材上に固定された結合用横軸材と、
該縦軸材、中間縦軸材、横軸材及び結合用横軸材により囲まれた部分を覆って固定された面材と、
該面材の外側面に所定の間隔をあけて該縦軸材と平行に固定された胴縁と、
該胴縁の外側面に固定されたベースサイディングと、
該ベースサイディングの外側面に接着剤で貼着された複数のタイルと、
を備え、
該面材の両側縁部の外側面は、ベースサイディング及びタイルを貼着しない、現場施工用の未貼着スペースとして、規格化されパネル状に形成されていることを特徴とする。
【００１１】
上記発明によれば、２×４住宅のタイル貼り外壁を施工する場合、予め工場において規格化されて製造されたタイルパネル部材を、住宅建設現場に搬入して住宅の各階の床組部材上に建て込む。そして、相互に隣接するタイルパネル部材の縦の接合線を含む、タイルパネル部材両側縁部の未貼着スペースに、現場胴縁を縦に面材の外側面に対し固定する一方、現場胴縁を覆って現場ベースサイディングを固定し、現場ベースサイディングの外側面に現場タイルを貼着するのみで、熟練さを有しない作業者であっても、簡単に、少ない工程数で、短期間のうちに、２×４住宅のタイル貼り外壁を施工することができる。
【００１２】
さらに、各タイルパネル部材を住宅建設現場の住宅の各階の床組部材上に建て込む際、一方のタイルパネル部材の突出結合部を、他方の突出結合部用凹部に嵌め込むようにして位置決めし、容易に各タイルパネル部材を所定位置に嵌め込み固定することができる。
【００１３】
また、請求項３の発明は、上記請求項１の２×４住宅のタイル貼り外壁の施工方法において、２×４住宅の建設施工現場にて、隣接するタイルパネル部材の接合部の未貼着スペースに、先ず、面材の外側面に現場胴縁を縦に固定し、該現場胴縁を覆って現場ベースサイディングを固定し、該現場ベースサイディングの外側面に、該タイルパネル部材の外側面に貼着されたタイルの割付と同じ割付で現場タイルを割り付け、接着剤により貼着することを特徴とする。
【００１４】
また、請求項４の発明は、上記請求項３記載の２×４住宅のタイル貼り外壁の施工方法において、上記タイルが馬踏み貼りで割り付けられ、上記未貼着スペースにおける該タイルの両側端部に凹凸形状を付けて該タイルが貼着されたことを特徴とする。
【００１５】
この発明によれば、２×４住宅の施工現場で、隣接するタイルパネル部材の接合部の未貼着スペースに、現場タイルを接着する際、現場タイルを馬踏み貼りで割り付けて接着するので、タイルがタイルパネル部材の縦の接合線を横断して接着され、タイルパネル部材の縦の接合線（直線状の縦線）が建築表面に現れず、建物の意匠を損なうことがない。
【発明の効果】
【００１６】
本発明のタイル貼り外壁の施工方法及び２×４住宅用タイルパネル部材によれば、２×４住宅の建設施工現場で、外壁のタイル貼り施工を、簡単に短期間で行なうことができ、現場での省力化を図り、２×４住宅のタイル貼り外壁を安価に実現することができる。
【図面の簡単な説明】
【００１７】
【図１】本発明の一実施形態を示すタイル貼り外壁の施工方法に使用する２×４住宅用のタイルパネル部材１の正面図である。
【図２】タイルパネル部材１の２×４材からなる基枠の正面図（ａ）、断面図（ｂ）である。
【図３】タイルパネル部材１の基枠に面材、胴縁を固定した状態の斜視図である。
【図４】タイルパネル部材２の正面図である。
【図５】タイルパネル部材２の２×４材からなる基枠の正面図（ａ）、断面図（ｂ）である。
【図６】タイルパネル部材２の基枠に面材、胴縁を固定した状態の斜視図である。
【図７】タイルパネル部材２の２×４材からなる２枚の基枠を組み合わせた上体の正面図である。
【図８】タイルパネル部材２を相互に並設して結合した状態の拡大部分断面図である。
【図９】出隅用タイルパネル部材３の基枠の正面図（ａ）、同右側面図（ｂ）、及び同断面図（ｃ）である。
【図１０】出隅用タイルパネル部材３の基枠に面材、胴縁を取り付けた状態の正面図（ａ）、同右側面図（ｂ）、及び同断面図である。
【図１１】出隅用タイルパネル部材３の正面図（ａ）、同右側面図（ｂ）、及び同断面図（ｃ）である。
【図１２】入隅用タイルパネル部材４の基枠の正面図（ａ）、同右側面図（ｂ）、及び同断面図（ｃ）である。
【図１３】入隅用タイルパネル部材４の基枠に面材、胴縁を取り付けた状態の正面図（ａ）、同右側面図（ｂ）、及び同断面図である。
【図１４】入隅用タイルパネル部材４の正面図（ａ）、同右側面図（ｂ）、及び同断面図（ｃ）である。
【図１５】施工現場でタイルパネル部材１、２を相互に並設して結合した状態の拡大部分断面図である。
【図１６】タイルパネル部材１，２を使用して施工した外壁の正面図である。
【図１７】タイルパネル部材１，２、出隅用タイルパネル部材３、入隅用タイルパネル部材４を使用して施工した外壁の正面図である。
【発明を実施するための形態】
【００１８】
以下、本発明の一実施形態を図面に基づいて説明する。図１〜図３は２×４住宅用タイルパネル部材の１例を示している。このタイルパネル部材１は、タイル貼り外壁の２×４住宅に使用される規格化されたタイルパネル部材であり、図２に示すような基枠を基に製作される。
【００１９】
タイルパネル部材１の基枠は、１対の縦軸材１０と、３本の中間縦軸材１１と、１対の縦軸材１０及び中間縦軸材１１の両端に結合された上下１対の横軸材１２と、横軸材１２と同じ長さを有し、一方の側に突出結合部１３ａを突き出し、他方の側に突出結合部用凹部１３ｂを形成するように、横軸材１２上に固定された結合用横軸材１３と、から構成され、縦軸材１０、中間縦軸材１１、横軸材１２及び結合用横軸材１３により囲まれた基枠の正面部分を覆って面材１４が固定される。
【００２０】
縦軸材１０、中間縦軸材１１、横軸材１２、及び結合用横軸材１３は、規格化された２×４材を使用して構成され、そのため、タイルパネル部材１の基枠の外形寸法は、例えば、横１８２０ｍｍ、縦２４５０ｍｍ、厚さ１４０ｍｍに規格化された寸法とすることができる。タイルパネル部材１の上部右側に突出する突出結合部１３ａは、別のタイルパネル部材との間で相互に連結する際、隣接するタイルパネル部材の上部に設けた同一寸法の突出結合部用凹部１３ｂに嵌合して結合する構造とされ、突出結合部１３ａと突出結合部用凹部１３ｂの形状及び体積は同一とされる。
【００２１】
図２に示すように、結合用横軸材１３は横軸材１２と同じ規格の木材が使用され、結合用横軸材１３の端部をタイルパネル部材１の右側に所定長さ（例えば２００ｍｍ）だけ突き出すようにして、突出結合部１３ａとすれば、同じ長さの突出結合部用凹部１３ｂがタイルパネル部材１の反対側に形成されることとなる。
【００２２】
基枠に貼着される面材１４には、規格化された例えば厚さ９ｍｍの構造用合板が使用され、縦軸材１０、中間縦軸材１１、横軸材１２、結合用横軸材１３、及び面材１４は、釘、木ねじ、ビス、接着剤などで相互に固定され、一体化される。
【００２３】
図２に示すように、面材１４の図２の右側縁部は基枠の右端の縦軸材１０から僅かな幅で突出し、面材１４の左側縁部は基枠の左端の縦軸材１０の内側に同じ幅だけ入るように面材１４は基枠上に位置して固定される。このため、タイルパネル部材１を相互に、或いは後述のタイルパネル部材２に並設して結合させる場合、面材１４の突出部分を縦軸材１０に重ね合わせ、位置決めを正確に且つ容易に行なえるようにしている。
【００２４】
さらに、図３に示すように、面材１４の外側面には、図示しない防水紙を被覆した状態で、複数の胴縁１５が所定の間隔をおいて縦に固定される。この外形形状のタイルパネル部材１の場合、幅９０ｍｍの３本の胴縁１５が両側部及び中間部に釘、木ねじ、ビス、接着剤などで固定され、また、より細い幅４０ｍｍの胴縁１５ａが３本の胴縁１５の間に縦に固定される。
【００２５】
さらに、図１に示すように、それらの胴縁１５，１５ａの外側に、ベースサイディング１６が、面材１４より少し狭い範囲を覆うように、つまり、面材１４の外側の左右縁面に未貼着スペース９を残すように、釘、木ねじ、ビス、接着剤などで固定され貼着される。未貼着スペース９は、工場で製造される段階で、乾式タイル１８が貼着されない部分であり、図１に示すように、乾式タイル１８の１丁分の幅または半丁分の幅の段状のスペースとして形成される。
【００２６】
ベースサイディング１６には、例えば、厚さ１２ｍｍ、幅１６４６ｍｍ、高さ２４５０ｍｍの木繊維混入セメント珪酸カルシウム板などのサイディングを使用することができる。また、ベースサイディング１６の未貼着スペース９側の縁部には、図１５のように、現場施工での現場ベースサイディング５６の貼着を容易とするために、ハットジョイナー１７が取り付けられる。
【００２７】
図１に示すように、乾式タイル１８は、ベースサイディング１６の外側面に、馬踏み貼りで割り付けられ、接着剤を使用して貼着される。貼着された乾式タイル１８は、馬踏み貼りとなるめ、図１に示すように、未貼着スペース９におけるタイルの両側端部に凹凸形状が付き、未貼着スペース９には、タイル１丁分またはタイル半丁分のスペースが設けられることとなる。乾式タイル１８は、ベースサイディング１６の表面に嵌合させた状態で接着するタイプのタイルである場合、ベースサイディング１６の外側面には嵌合部が突設され、乾式タイル１８はその貼着面の嵌合部をベースサイディング１６の嵌合部に嵌合させ且つ接着剤により貼着される。
【００２８】
このような構成の規格化されたタイルパネル部材１は、２×４住宅の建設現場ではなく、予め工場において製造されるため、量産することができる。このため、製造コストを低減できると共に、２×４住宅の建設現場におけるタイル貼り外壁施工の工数を大幅に削減することができる。
【００２９】
図４〜図６は、上記タイルパネル部材１の１／２のサイズ（基本サイズ）のタイルパネル部材２の例を示し、このサイズのタイルパネル部材２は、単体で製造し、２×４住宅の建設現場に搬入して使用することができるが、この基本サイズのタイルパネル部材２自体を複数枚接合し、より大型のサイズのタイルパネル部材を工場にて製作し、或いは上記タイルパネル部材１を含む各種のサイズ、タイプ、或いは形状のタイルパネル部材に対し接合して、各種のタイルパネル部材を工場で製造することができる。
【００３０】
規格化されたこのタイルパネル部材２の基枠は、図５に示すように、１対の縦軸材２０と、１本の中間縦軸材２１と、１対の縦軸材２０及び中間縦軸材２１の両端に結合された上下１対の横軸材２２と、横軸材２２と同じ長さを有し、一方の側に突出結合部２３ａを突き出し、他方の側に突出結合部用凹部２３ｂを形成するように、横軸材２２上に固定された結合用横軸材２３と、から構成され、縦軸材２０、中間縦軸材２１、横軸材２２及び結合用横軸材２３により囲まれた基枠の正面部分を覆って面材２４が固定される。
【００３１】
縦軸材２０、中間縦軸材２１、横軸材２２、及び結合用横軸材２３は、規格化された２×４材を使用しており、それにより、タイルパネル部材２の基枠の外形寸法は、例えば、横９１０ｍｍ、縦２４５０ｍｍ、厚さ１４０ｍｍに規格化されたものとすることができる。
【００３２】
タイルパネル部材２の上部右側に突出する突出結合部２３ａは、別のタイルパネル部材間で相互に連結される際、隣接するタイルパネル部材の上部に設けた同一寸法の突出結合部用凹部２３ｂに嵌合して結合する構造とされ、突出結合部２３ａと突出結合部用凹部２３ｂの形状及び体積は同一とされる。
【００３３】
図５に示すように、結合用横軸材２３は横軸材２２と同じ規格の木材が使用され、結合用横軸材２３の端部をタイルパネル部材２の右側に所定長さ（例えば２００ｍｍ）だけ突き出すようにして、突出結合部２３ａとすれば、同じ長さの突出結合部用凹部２３ｂがタイルパネル部材２の反対側に形成されることとなる。
【００３４】
また、基枠を覆って固定される面材２４には、規格化された例えば厚さ９ｍｍの構造用合板が使用され、縦軸材２０、中間縦軸材２１、横軸材２２、結合用横軸材２３、及び面材２４は、釘、木ねじ、ビス、接着剤などで相互に固定され、一体化される。
【００３５】
図５に示すように、面材２４の図５の右側縁部は基枠の右端の縦軸材２０から僅かな幅で突出し、面材２４の左側縁部は基枠の左端の縦軸材２０の内側に同じ幅だけ入るように面材２４は基枠上に位置して固定される。このため、タイルパネル部材２を相互に、或いは上記タイルパネル部材１に並設して結合させる場合、面材２４の突出部分を縦軸材２０に重ね合わせ、位置決めを正確に且つ容易に行なえるようにしている。
【００３６】
さらに、図６に示すように、面材２４の外側面には、図示しない防水紙を被覆した状態で、複数の胴縁２５が所定の間隔をおいて縦に固定される。この外形形状のタイルパネル部材２の場合、幅９０ｍｍの２本の胴縁２５が両側部に釘、木ねじ、ビス、接着剤などで固定され、また、より細い幅４０ｍｍの胴縁２５ａが胴縁２５の間に縦に固定される。
【００３７】
さらに、それらの胴縁２５，２５ａの外側に、ベースサイディング２６が、面材２４より少し狭い範囲を覆うように、つまり、図４に示すように、上記と同様、面材２４の外側の左右縁面に未貼着スペース９を残すように、釘、木ねじ、ビス、接着剤などで固定され貼着される。ベースサイディング２６には、例えば、厚さ１２ｍｍ、幅７３６ｍｍ、高さ２４５０ｍｍの木繊維混入セメント珪酸カルシウム板などのサイディングを使用することができる。
【００３８】
そして、ベースサイディング２６の外側面に、乾式タイル１８が、図４に示す如く、馬踏み貼りで割り付けられ、接着剤を使用して貼着される。貼着された乾式タイル１８は、馬踏み貼りとなるため、未貼着スペース９におけるタイルの両側端部には凹凸形状が付くこととなる。また、未貼着スペース９の幅は、タイル１丁分又はタイル半丁分の幅となる。乾式タイル１８が、ベースサイディング２６の表面に嵌合させながら接着するタイプである場合、ベースサイディング２６においても、その外側面に嵌合部を突設したサイディングを使用し、乾式タイル１８はその貼着面の嵌合部をベースサイディング２６の嵌合部に嵌合させ、接着剤により貼着される。
【００３９】
このような小型基本形のパネルとして規格化されたタイルパネル部材２は、上記大型のタイルパネル部材１の側部に、或いは後述の壁面コーナー部に使用される、出隅用タイルパネル部材３または入隅用タイルパネル部材４の側部に、その突出結合部２３ａを突出結合部用凹部１３ｂに嵌合させ、或いは、その突出結合部２３ａを突出結合部用凹部３３ｂまたは４３ｂに嵌合させるようにして、２×４住宅の建設現場、或いは工場において結合させることができる。これにより、外壁タイル貼り２×４住宅の製造コストを低減できると共に、２×４住宅の建設現場におけるタイル貼り施工の工数を大幅に削減することができる。
【００４０】
また、上記構成の小型のタイルパネル部材２を基本単体パネルとして使用する場合、例えば、図７に示すように、タイルパネル部材の基枠に面材２４を取り付けた状態で、２枚を相互に並設するようにして結合させ、図８に示すように、接合線に沿った位置に胴縁２５を固定し、胴縁２５の外側に両側の面材２４を覆うように、より広い面積のベースサイディング２９を貼着し、ベースサイディング２９の外側面に、乾式タイル１８を馬踏み貼りで割り付け、貼着する。このような基本単体パネルとしての小型のタイルパネル部材２の結合は、２×４住宅の建設現場で行うこともできるが、通常、工場において、上記のようにタイルパネル部材２を別のタイルパネル部材に結合して製造することもできる。
【００４１】
図９〜図１１は、２×４住宅の外壁コーナー部に使用される出隅用タイルパネル部材の例を示している。この出隅用タイルパネル部材３は、タイル貼り外壁の２×４住宅の出隅部に使用される規格化されたタイルパネル部材であり、図９に示すような基枠を基に製作される。
【００４２】
出隅用タイルパネル部材３の基枠は、上記基本形のタイルパネル部材２の２枚の側縁部を、直角に結合して形成される。つまり、図９（ａ）に示すように、左側のパネル部材３Ａは、左側縁部に配された２本の縦軸材３０と、１本の中間縦軸材３１と、右側縁部の１本の縦軸材３０と、３本の縦軸材３０及び中間縦軸材３１の両端に結合された上下１対の横軸材３２と、結合側に突出結合部３３ａを突き出し、端部側に突出結合部用凹部３３ｂを形成するように、横軸材１２上に固定された結合用横軸材３３と、から構成され、縦軸材３０、中間縦軸材３１、横軸材３２及び結合用横軸材３３により囲まれた基枠の正面部分を覆って面材３４が固定される。
【００４３】
図９（ｂ）に示す右側のパネル部材３Ｂは、左側縁部に配された３本の縦軸材３０と、１本の中間縦軸材３１と、右側縁部の２本の縦軸材３０と、５本の縦軸材３０及び中間縦軸材３１の両端に結合された上下１対の横軸材３２と、結合側に突出結合部３３ａを突き出し、端部側に突出結合部用凹部３３ｂを形成するように、横軸材３２上に固定された結合用横軸材３３と、から構成され、縦軸材３０、中間縦軸材３１、横軸材３２及び結合用横軸材３３により囲まれた基枠の正面部分を覆って面材３４が固定される。基枠に貼着される面材３４には、規格化された例えば厚さ９ｍｍの構造用合板が使用され、縦軸材３０、中間縦軸材３１、横軸材３２、結合用横軸材３３、及び面材３４は、釘、木ねじ、ビス、接着剤などで相互に固定され、一体化される。
【００４４】
上記パネル部材３Ａ，３Ｂを直角に結合して出隅用タイルパネル部材３の基枠を組み付ける場合、図９（ｃ）に示すように、左側のパネル部材３Ａの突出結合部３３ａの下側に、右側のパネル部材３Ｂの左側縁部の突出結合部用凹部３３ｂを、直角に嵌め込んで結合し、結合部は、釘、木ねじ、ビス、接着剤などで固定し、出隅用タイルパネル部材３の基枠は製作される。
【００４５】
さらに、図１０に示すように、面材３４の外側面には、図示しない防水紙を被覆した状態で、複数の胴縁３５が所定の間隔をおいて縦に固定される。この外形形状の出隅用タイルパネル部材３の場合、左側のパネル部材３Ａ及び右側のパネル部材３Ｂの面材３４の外側面に、幅９０ｍｍの２本の胴縁３５が両側部に釘、木ねじ、ビス、接着剤などで固定され、また、より細い幅４０ｍｍの胴縁３５ａが２本の胴縁３５の間に縦に固定される。
【００４６】
さらに、図１１に示すように、出隅用タイルパネル部材３の左側のパネル部材３Ａ及び右側のパネル部材３Ｂにおける胴縁３５，３５ａの外側に、ベースサイディング３６が、面材３４より少し狭い範囲を覆うように、つまり、面材３４の外側の左右の縁部に未貼着スペース９を残すように、釘、木ねじ、ビス、接着剤などで固定され貼着される。未貼着スペース９は、工場で製造される段階で、乾式タイル１８が貼着されない部分であり、図１１に示すように、乾式タイル１８の１丁分の幅または半丁分の幅の段状のスペースとして形成される。ベースサイディング３６には、例えば、厚さ１２ｍｍ、幅９０４ｍｍ、高さ２４５０ｍｍの木繊維混入セメント珪酸カルシウム板などのサイディングを使用することができる。
【００４７】
図１１に示すように、乾式タイル１８は、ベースサイディング１６の外側面に、馬踏み貼りで割り付けられ、さらに、コーナーの部分には、出隅用コーナータイル３９が割り付けられ、接着剤を使用して貼着される。貼着された乾式タイル１８は、馬踏み貼りとなるため、図１１に示すように、未貼着スペース９におけるタイルの両側端部に凹凸形状が付き、未貼着スペース９には、タイル１丁分またはタイル半丁分のスペースが設けられることとなる。
【００４８】
図１２〜図１４は、２×４住宅の外壁コーナー部に使用される入隅用タイルパネル部材の例を示している。この入隅用タイルパネル部材４は、タイル貼り外壁の２×４住宅の入隅コーナー部に使用される規格化されたタイルパネル部材であり、図１２に示すような基枠を基に製作される。
【００４９】
入隅用タイルパネル部材４の基枠は、上記基本形の２枚のタイルパネル部材２の側縁部を、相互に直角に結合して形成される。つまり、図１２に示すように、入隅用タイルパネル部材４の左側のパネル部材４Ａは、左側縁部に配された２本の縦軸材４０と、１本の中間縦軸材４１と、右側縁部の１本の縦軸材４０と、３本の縦軸材４０及び中間縦軸材４１の両端に結合された上下１対の横軸材４２と、結合側に突出結合部４３ａを突き出し、被結合側に突出結合部用凹部４３ｂを形成するように、上の横軸材４２上に固定された結合用横軸材４３と、から構成され、縦軸材４０、中間縦軸材４１、横軸材４２及び結合用横軸材４３により囲まれた基枠の正面部分を覆って面材４４が固定される。
【００５０】
また、図１２の右側のパネル部材４Ｂは、左側縁部に配された３本の縦軸材４０と、１本の中間縦軸材４１と、右側縁部の２本の縦軸材４０と、５本の縦軸材４０及び中間縦軸材４１の両端に結合された上下１対の横軸材４２と、結合側に突出結合部４３ａを突き出し、端部側に突出結合部用凹部４３ｂを形成するように、横軸材４２上に固定された結合用横軸材４３と、から構成され、縦軸材４０、中間縦軸材４１、横軸材４２及び結合用横軸材４３により囲まれた基枠の正面部分を覆って面材４４が固定される。基枠に貼着される面材４４には、規格化された例えば厚さ９ｍｍの構造用合板が使用され、縦軸材４０、中間縦軸材４１、横軸材４２、結合用横軸材４３、及び面材４４は、釘、木ねじ、ビス、接着剤などで相互に固定され、一体化される。
【００５１】
入隅用タイルパネル部材４の基枠を組み付ける場合、図１２（ｃ）に示すように、左側のパネル部材４Ａの突出結合部４３ａの下側に、右側のパネル部材４Ｂの左側縁部の突出結合部用凹部４３ｂを、直角に嵌め込んで結合し、結合部は、釘、木ねじ、ビス、接着剤などで固定され、入隅用タイルパネル部材４の基枠が組み付けられる。
【００５２】
さらに、図１３に示すように、面材４４の外側面には、図示しない防水紙を被覆した状態で、複数の胴縁４５が所定の間隔をおいて縦に固定される。この入隅用タイルパネル部材４の場合、左側のパネル部材４Ａ及び右側のパネル部材４Ｂの面材４４の外側面に、幅９０ｍｍの２本の胴縁４５が両側部に釘、木ねじ、ビス、接着剤などで固定され、また、より細い幅４０ｍｍの胴縁４５ａが２本の胴縁４５の間に縦に固定される。
【００５３】
さらに、図１４に示すように、入隅用タイルパネル部材４の左側のパネル部材４Ａ及び右側のパネル部材４Ｂにおける胴縁４５，４５ａの外側に、ベースサイディング４６が、面材４４より少し狭い範囲を覆うように、つまり、面材４４の外側の左右縁面に未貼着スペース９を残すように、釘、木ねじ、ビス、接着剤などで固定され貼着される。未貼着スペース９は、工場で製造される段階で、乾式タイル１８が貼着されない部分であり、図１４に示すように、乾式タイル１８の１丁分の幅または半丁分の幅の段状のスペースとして形成される。ベースサイディング４６には、例えば、厚さ１２ｍｍ、幅７４２ｍｍ、高さ２４５０ｍｍの木繊維混入セメント珪酸カルシウム板などのサイディングを使用することができる。
【００５４】
図１４に示すように、乾式タイル１８は、ベースサイディング４６の外側面に、馬踏み貼りで割り付けられ、さらに、コーナーの部分には、入隅用コーナータイル４９が割り付けられ、接着剤を使用して貼着される。貼着された乾式タイル１８は、馬踏み貼りとなるため、図１４に示すように、未貼着スペース９におけるタイルの両側端部に凹凸形状が付き、未貼着スペース９には、タイル１丁分またはタイル半丁分のスペースが設けられることとなる。
【００５５】
このような構成の規格化された出隅用タイルパネル部材３及び入隅用タイルパネル部材４は、２×４住宅の建設現場ではなく、予め工場において製造されるため、量産することができる。このため、製造コストを低減できると共に、２×４住宅の建設現場におけるタイル貼り施工の工数を大幅に削減することができる。
【００５６】
また、上述の平板状のタイルパネル部材１，２及びコーナー部用の出隅用タイルパネル部材３、入隅用タイルパネル部材４に加え、窓用アルミサッシなどを取り付けた窓用タイルパネル部材が、予め工場において製造される。
【００５７】
このような窓用タイルパネル部材は、基本的には、上記タイルパネル部材１，２の一部に矩形の開口部を形成し、その開口部に窓用アルミサッシなどを取り付けたもので、図面による説明は省略するが、上述のタイルパネル部材１，２と同様に、２×４用の規格化された縦軸材、横軸材、面材、胴縁などを使用してパネル状に製造され、その外側面には、ベースサイディングを介して乾式タイルが馬踏み貼りを付して割り付けられ、接着剤で貼着され、外壁用のタイルパネル部材として製造される。そして、２×４住宅を設計する場合、このような規格化されたタイルパネル部材１，２、出隅用タイルパネル部材３、入隅用タイルパネル部材４を使用して、２×４住宅を設計することとなる。
【００５８】
２×４住宅の建設現場で、外壁のタイル貼り施工を行なう場合、予め工場で製造された、タイルパネル部材１，２、出隅用タイルパネル部材３、入隅用タイルパネル部材４を、建設現場に搬入し、住宅建設現場の住宅の各階の床組部材上に建て込む。
【００５９】
例えば、図１のタイルパネル部材１に隣接して図４のタイルパネル部材２を接合する場合、タイルパネル部材１の右側縁部をタイルパネル部材２の左側縁部に嵌合させて接合し、住宅の各階の床組部材上に建て込むが、この場合、タイルパネル部材１の右側縁部上における結合用横軸材１３の突出結合部１３ａを、タイルパネル部材２の左側縁部上における突出結合部用凹部２３ｂに嵌合させるようにして位置決めされ、比較的容易にタイルパネル部材１，２を正確に組み付けることができる。また、例えば、タイルパネル部材１の場合、面材１４の右側縁部は基枠の右端の縦軸材１０から僅かな幅で突出し、面材１４の左側縁部は基枠の左端の縦軸材１０の内側に同じ幅だけ入るように面材１４は基枠上に位置しているので、タイルパネル部材１を相互に、或いはタイルパネル部材２に並設して結合させる場合、面材１４の突出部分を縦軸材１０に重ね合わせることにより、位置決めを正確に且つ容易に行なうことができる。
【００６０】
また、タイルパネル部材１とタイルパネル部材１を接合する場合、或いはタイルパネル部材１と開口部を有する窓用タイルパネル部材を接合する場合、図１６に示すように、斜線で示す未貼着スペース９を境界として接合され、結合される。また、タイルパネル部材１、出隅用タイルパネル部材３、入隅用タイルパネル部材４を接合する場合、図１７に示すように、斜線で示す未貼着スペース９を境界として接合され、結合される。
【００６１】
次に、図１５に示すように、相互に隣接するタイルパネル部材１，２の縦の接合線を含む、タイルパネル部材１，２両側縁部の未貼着スペース９に、現場胴縁５５を縦に面材１４，２４の外側面に対し固定すると共に、現場胴縁５５を覆って現場ベースサイディング５６を固定する。この現場ベースサイディング５６はハットジョイナー１７、１７の間に固定される。そして、現場ベースサイディング５６の外側面に、現場乾式タイル５８を接着剤により接着する。図１６，１７に示すように、現場乾式タイル５８は、タイルパネル部材１，２両側縁部の未貼着スペース９の各横列において、１丁または２丁を並設して貼着すればよく、現場施工において、最少数の現場乾式タイル５８の貼着で、タイル貼り外壁を完成することができる。
【００６２】
このように、２×４住宅の建設現場においては、タイル貼りの外壁を施工する場合、図１６，１７の斜線で示す未貼着スペース９にのみ、現場胴縁５５を固定し、現場ベースサイディング５６を介して現場乾式タイル５８を接着剤により接着するのみで、簡単に、少ない工程数で、短期間のうちに、２×４住宅のタイル貼り外壁を施工することができる。
【符号の説明】
【００６３】
１      タイルパネル部材
２      タイルパネル部材
９      未貼着スペース
１０    縦軸材
１１    中間縦軸材
１２    横軸材
１３    結合用横軸材
１３ａ  突出結合部
１３ｂ  突出結合部用凹部
１４    面材
１５    胴縁
１５ａ  胴縁
１６    ベースサイディング
１８    乾式タイル
２０    縦軸材
２１    中間縦軸材
２２    横軸材
２３    結合用横軸材
２３ａ  突出結合部
２３ｂ  突出結合部用凹部
２４    面材
２５    胴縁
２５ａ  胴縁
２６    ベースサイディング
５５    現場胴縁
５６    現場ベースサイディング
５８    現場乾式タイル
【図１】
2011246996.tif 000003
【図２】
2011246996.tif 000004
【図３】
2011246996.tif 000005
【図４】
2011246996.tif 000006
【図５】
2011246996.tif 000007
【図６】
2011246996.tif 000008
【図７】
2011246996.tif 000009
【図８】
2011246996.tif 000010
【図９】
2011246996.tif 000011
【図１０】
2011246996.tif 000012
【図１１】
2011246996.tif 000013
【図１２】
2011246996.tif 000014
【図１３】
2011246996.tif 000015
【図１４】
2011246996.tif 000016
【図１５】
2011246996.tif 000017
【図１６】
2011246996.tif 000018
【図１７】
2011246996.tif 000019